(57)【要約】【課題】所望の免震構造物の設計図面を作図するための労力の削減、時間の短縮及び経費の低減を図ることができる免震構造物の設計支援方法及びその設計支援システムを提供すること。【解決手段】設計支援システム１は、入力された橋梁の条件データに基づいて橋梁を設計し、設計した橋梁が設計基準を満たすか否かを照査し、照査結果に基づいて橋梁が設計基準を満たすために積層ゴムに求められる性能及び寸法データを算出する設計プログラム５を有していると共に、設計プログラム５により算出された性能及び寸法データを含むデータを作成し、作成したデータをインターネット６を介してコンピュータ１０に送信する送信手段７を有しているコンピュータ８と、コンピュータ８から送信されたデータに基づいて積層ゴムの設計図面を作図する供給者Ｃのコンピュータ１０と、作成した設計図面を設計者Ｂに送る送り手段１１とを具備している。【選択図】      図１
2004220126.tif 000002
【特許請求の範囲】
【請求項１】
入力された免震構造物の条件データに基づいて免震構造物の構造解析を施して当該免震構造物を設計し、設計した免震構造物が予め定められた設計基準を満たすか否かを照査し、照査した結果に基づいて、設計した免震構造物が設計基準を満たすために免震構造物の構成部材としての免震装置に求められる性能及び寸法データを算出する設計プログラムにより算出された当該免震装置の性能及び寸法データを含むデータを電気通信回線を介して免震装置の供給者の免震装置設計作図プログラムにより受信する受信段階と、受信したデータに基づいて免震装置設計作図プログラムにより免震装置の設計図面を作図する作図段階とを具備している免震構造物の設計支援方法。
【請求項２】
免震構造物の条件データには、建築物での建物本体又は橋梁での橋桁である上部構造の荷重及び寸法並びに建築物での基礎又は橋梁での橋脚である下部構造の形式、剛性、寸法及び許容塑性率のうちの少なくとも一つが含まれている請求項１に記載の免震構造物の設計支援方法。
【請求項３】
構造解析には、動的構造解析が少なくとも含まれている請求項１又は２に記載の免震構造物の設計支援方法。
【請求項４】
受信段階は、免震構造物の設計者の一の機器に入力された免震構造物の条件データに基づいて構造解析を施して当該免震構造物を設計する設計プログラムにより算出された免震装置の性能及び寸法データを含むデータを免震装置の供給者の他の一の機器において受信する請求項１から３のいずれか一項に記載の免震構造物の設計支援方法。
【請求項５】
作図段階で作図した設計図面を免震構造物の設計者に送る送り段階を具備している請求項４に記載の免震構造物の設計支援方法。
【請求項６】
送り段階は、設計図面としての設計図面データを記録した記録媒体を供給者から設計者に発送する発送段階又は設計図面データを他の一の機器から電気通信回線を介して一の機器に送信する設計図面データ送信段階を具備している請求項５に記載の免震構造物の設計支援方法。
【請求項７】
受信段階は、設計図面の要否についての一の機器の表示部での選択表示に応じて一の機器に入力された設計図面を要する旨の信号に基づくデータを他の一の機器により受信する請求項４から６のいずれか一項に記載の免震構造物の設計支援方法。
【請求項８】
他の一の機器が受信したデータに、免震構造物の設計者を特定する顧客データが含まれている場合には、当該顧客データに基づく顧客リストを作成する顧客リスト作成段階を具備している請求項４から７のいずれか一項に記載の免震構造物の設計支援方法。
【請求項９】
受信段階は、設計基準を満たすとされた免震構造物の設計に基づいて当該免震構造物の周辺に取り付ける金物を設計する設計プログラムにより設計された金物データを含むデータを電気通信回線を介して受信する請求項１から８のいずれか一項に記載の免震構造物の設計支援方法。
【請求項１０】
入力された免震構造物の条件データに基づいて免震構造物の構造解析を施して当該免震構造物を設計し、設計した免震構造物が予め定められた設計基準を満たすか否かを照査し、照査した結果に基づいて、設計した免震構造物が設計基準を満たすために免震構造物の構成部材としての免震装置に求められる性能及び寸法データを算出する設計プログラムと、設計プログラムにより算出された性能及び寸法データを含むデータを電気通信回線を介して免震装置の供給者の免震装置設計作図プログラムに送信する送信手段と、送信手段により送信されたデータに基づいて免震装置の設計図面を作図する免震装置の供給者の免震装置設計作図プログラムとを具備している免震構造物の設計支援システム。
【請求項１１】
免震構造物の条件データには、建築物での建物本体又は橋梁での橋桁である上部構造の荷重及び寸法並びに建築物での基礎又は橋梁での橋脚である下部構造の形式、剛性、寸法及び許容塑性率のうちの少なくとも一つが含まれている請求項１０に記載の免震構造物の設計支援システム。
【請求項１２】
設計プログラムは、免震構造物の条件データに基づいて少なくとも免震構造物の動的構造解析を施して当該免震構造物を設計するようになっている請求項１０又は１１に記載の免震構造物の設計支援システム。
【請求項１３】
設計プログラム及び送信手段を有している免震構造物の設計者の一の機器と、免震装置設計作図プログラムを有している免震装置の供給者の他の一の機器とを具備している請求項１０から１２のいずれか一項に記載の免震構造物の設計支援システム。
【請求項１４】
免震装置設計作図プログラムにより作図した設計図面を免震構造物の設計者に送る送り手段を具備している請求項１３に記載の免震構造物の設計支援システム。
【請求項１５】
送り手段は、設計図面データを他の一の機器から電気通信回線を介して一の機器に送信する設計図面データ送信手段を具備している請求項１４に記載の免震構造物の設計支援システム。
【請求項１６】
一の機器は、表示部と、この表示部で設計図面の要否についての選択表示を行う選択表示手段とを具備しており、選択表示手段による選択表示に応じて、設計図面を要する旨の信号が一の機器に入力された場合には、送信手段によりデータを他の一の機器に送信するようになっている請求項１３から１５のいずれか一項に記載の免震構造物の設計支援システム。
【請求項１７】
送信手段により送信するデータには、免震構造物の設計者を特定する顧客データが含まれており、他の一の機器は、送信手段により送信された顧客データに基づいて顧客リストを作成する顧客リスト作成プログラムを具備している請求項１３から１６のいずれか一項に記載の免震構造物の設計支援システム。
【請求項１８】
一の機器は、設計プログラムにより設計基準を満たすとされた免震構造物の設計に基づいて当該免震構造物の周辺に取り付ける金物を設計する金物設計プログラムを具備している請求項１３から１７のいずれか一項に記載の免震構造物の設計支援システム。
【発明の詳細な説明】
【０００１】
【発明の属する技術分野】
本発明は、法令等に準じて構成される建物、橋梁等の免震構造物の設計を支援する免震構造物の設計支援方法及びその設計支援システムに関する。
【０００２】
【従来の技術】
この種の免震構造物の設計支援システムによる処理は、まず、免震構造物としての橋梁の設計者が橋梁の橋桁、橋脚、基礎等を設計し、設計した橋梁の資料を免震装置の供給者に提供して前記橋梁に設けるべき免震装置の設計を依頼し、次に、免震装置の供給者により設計された免震装置の資料を橋梁の設計者が受け取ると、前記橋梁及び免震装置の資料を橋梁の照査者に提供して当該資料に基づいて構成されるべき橋梁が法令等に基づく設計基準を満たすか否かの照査を依頼し、照査者による照査の結果、橋梁が設計基準を満たす場合に橋梁の設計図面を作図する。
【０００３】
しかしながら、上述のような免震構造物の設計支援システムでは、照査者による照査の結果、橋梁及び免震装置の強度が適切でなく橋梁が設計基準を満たさない場合には、橋梁の設計者による橋梁の設計変更や免震装置の供給者による免震装置の設計変更を再度行うこととなり、従って、所望の免震構造物の設計図面を作図するために多くの労力、時間及び経費を要している。
【０００４】
【発明が解決しようとする課題】
本発明は、前記諸点に鑑みてなされたものであり、その目的とするところは、所望の免震構造物の設計図面を作図するための労力の削減、時間の短縮及び経費の低減を図ることができる免震構造物の設計支援方法及びその設計支援システムを提供することにある。
【０００５】
本発明の第一の態様の免震構造物の設計支援方法は、入力された免震構造物の条件データに基づいて免震構造物の構造解析を施して当該免震構造物を設計し、設計した免震構造物が予め定められた設計基準を満たすか否かを照査し、照査した結果に基づいて、設計した免震構造物が設計基準を満たすために免震構造物の構成部材としての免震装置に求められる性能及び寸法データを算出する設計プログラムにより算出された当該免震装置の性能及び寸法データを含むデータを電気通信回線を介して免震装置の供給者の免震装置設計作図プログラムにより受信する受信段階と、受信したデータに基づいて免震装置設計作図プログラムにより免震装置の設計図面を作図する作図段階とを具備している。
【０００６】
第一の態様の免震構造物の設計支援方法によれば、上述の構成を具備しているために、免震構造物が法令等に基づく設計基準を満たすために求められる免震装置を速やかに設計できて、免震構造物の設計者、免震装置の供給者及び照査者による再三の設計及び照査をなくし得、而して、所望の免震構造物の設計図面を作成するための労力の削減、時間の短縮及び経費の低減を図ることができる。
【０００７】
本発明の第二の態様の免震構造物の設計支援方法では、第一の態様の免震構造物の設計支援方法において、免震構造物の条件データには、建築物での建物本体又は橋梁での橋桁である上部構造の荷重及び寸法並びに建築物での基礎又は橋梁での橋脚である下部構造の形式、剛性、寸法及び許容塑性率のうちの少なくとも一つが含まれている。
【０００８】
本発明の第三の態様の免震構造物の設計支援方法では、第一又は第二の態様の免震構造物の設計支援方法において、構造解析には、動的構造解析が少なくとも含まれている。
【０００９】
本発明の第四の態様の免震構造物の設計支援方法では、第一から第三のいずれかの態様の免震構造物の設計支援方法において、受信段階は、免震構造物の設計者の一の機器に入力された免震構造物の条件データに基づいて構造解析を施して当該免震構造物を設計する設計プログラムにより算出された免震装置の性能及び寸法データを含むデータを免震装置の供給者の他の一の機器において受信する。
【００１０】
本発明の第五の態様の免震構造物の設計支援方法は、第四の態様の免震構造物の設計支援方法において、作図段階で作図した設計図面を免震構造物の設計者に送る送り段階を具備している。
【００１１】
本発明の第六の態様の免震構造物の設計支援方法では、第五の態様の免震構造物の設計支援方法において、送り段階は、設計図面としての設計図面データを記録した記録媒体を供給者から設計者に発送する発送段階又は設計図面データを他の一の機器から電気通信回線を介して一の機器に送信する設計図面データ送信段階を具備している。
【００１２】
本発明の第七の態様の免震構造物の設計支援方法では、第四から第六のいずれかの態様の免震構造物の設計支援方法において、受信段階は、設計図面の要否についての一の機器の表示部での選択表示に応じて一の機器に入力された設計図面を要する旨の信号に基づくデータを他の一の機器により受信する。
【００１３】
本発明の第八の態様の免震構造物の設計支援方法は、第四から第七のいずれかの態様の免震構造物の設計支援方法において、他の一の機器が受信したデータに、免震構造物の設計者を特定する顧客データが含まれている場合には、当該顧客データに基づく顧客リストを作成する顧客リスト作成段階を具備している。
【００１４】
本発明の第九の態様の免震構造物の設計支援方法では、第一から第八のいずれかの態様の免震構造物の設計支援方法において、受信段階は、設計基準を満たすとされた免震構造物の設計に基づいて当該免震構造物の周辺に取り付ける金物を設計する設計プログラムにより設計された金物データを含むデータを電気通信回線を介して受信する。
【００１５】
本発明の第一の態様の免震構造物の設計支援システムは、入力された免震構造物の条件データに基づいて免震構造物の構造解析を施して当該免震構造物を設計し、設計した免震構造物が予め定められた設計基準を満たすか否かを照査し、照査した結果に基づいて、設計した免震構造物が設計基準を満たすために免震構造物の構成部材としての免震装置に求められる性能及び寸法データを算出する設計プログラムと、設計プログラムにより算出された性能及び寸法データを含むデータを電気通信回線を介して免震装置の供給者の免震装置設計作図プログラムに送信する送信手段と、送信手段により送信されたデータに基づいて免震装置の設計図面を作図する免震装置の供給者の免震装置設計作図プログラムとを具備している。
【００１６】
第一の態様の免震構造物の設計支援システムによれば、上述の構成を具備しているために、免震構造物が法令等に基づく設計基準を満たすために求められる免震装置を速やかに設計できて、免震構造物の設計者、免震装置の供給者及び照査者による再三の設計及び照査をなくし得、而して、所望の免震構造物の設計図面を作成するための労力の削減、時間の短縮及び経費の低減を図ることができる。
【００１７】
本発明の第二の態様の免震構造物の設計支援システムでは、第一の態様の免震構造物の設計支援システムにおいて、免震構造物の条件データには、建築物での建物本体又は橋梁での橋桁である上部構造の荷重及び寸法並びに建築物での基礎又は橋梁での橋脚である下部構造の形式、剛性、寸法及び許容塑性率のうちの少なくとも一つが含まれている。
【００１８】
本発明の第三の態様の免震構造物の設計支援システムでは、第一又は第二の態様の免震構造物の設計支援システムにおいて、設計プログラムは、免震構造物の条件データに基づいて少なくとも免震構造物の動的構造解析を施して当該免震構造物を設計するようになっている。
【００１９】
本発明の第四の態様の免震構造物の設計支援システムは、第一から第三のいずれかの態様の免震構造物の設計支援システムにおいて、設計プログラム及び送信手段を有している免震構造物の設計者の一の機器と、免震装置設計作図プログラムを有している免震装置の供給者の他の一の機器とを具備している。
【００２０】
本発明の第五の態様の免震構造物の設計支援システムは、第四の態様の免震構造物の設計支援システムにおいて、免震装置設計作図プログラムにより作図した設計図面を免震構造物の設計者に送る送り手段を具備している。
【００２１】
本発明の第六の態様の免震構造物の設計支援システムでは、第五の態様の免震構造物の設計支援システムにおいて、送り手段は、設計図面データを他の一の機器から電気通信回線を介して一の機器に送信する設計図面データ送信手段を具備している。
【００２２】
本発明の第七の態様の免震構造物の設計支援システムでは、第四から第六のいずれかの態様の免震構造物の設計支援システムにおいて、一の機器は、表示部と、この表示部で設計図面の要否についての選択表示を行う選択表示手段とを具備しており、選択表示手段による選択表示に応じて、設計図面を要する旨の信号が一の機器に入力された場合には、送信手段によりデータを他の一の機器に送信するようになっている。
【００２３】
本発明の第八の態様の免震構造物の設計支援システムでは、第四から第七のいずれかの態様の免震構造物の設計支援システムにおいて、送信手段により送信するデータには、免震構造物の設計者を特定する顧客データが含まれており、他の一の機器は、送信手段により送信された顧客データに基づいて顧客リストを作成する顧客リスト作成プログラムを具備している。
【００２４】
本発明の第九の態様の免震構造物の設計支援システムでは、第四から第八のいずれかの態様の免震構造物の設計支援システムにおいて、一の機器は、設計プログラムにより設計基準を満たすとされた免震構造物の設計に基づいて当該免震構造物の周辺に取り付ける金物を設計する金物設計プログラムを具備している。
【００２５】
次に、本発明の実施の形態の例を、図に示す好ましい例に基づいて更に詳細に説明する。尚、本発明はこれら例に何等限定されないのである。
【００２６】
【発明の実施の形態】
図１において、本例の免震構造物の設計支援システム１（以下、「設計支援システム１」と略称する）は、入力された免震構造物としての橋梁の条件データに基づいて橋梁の構造解析を施して当該橋梁を設計し、設計した橋梁が予め定められた設計基準を満たすか否かを照査し、照査した結果に基づいて、橋梁が設計基準を満たすために当該橋梁の構成部材としての免震装置、本例では鉛プラグ入り積層ゴム（以下、「積層ゴム」と略称する）に求められる性能及び寸法データを算出する設計プログラム５を有していると共に、設計プログラム５により算出された性能及び寸法データを含むデータを作成し、作成したデータを電気通信回線、本例ではインターネット６を介して積層ゴムの供給者Ｃの機器としてのコンピュータ１０に送信する送信手段７を有している橋梁の設計者Ｂの機器としてのコンピュータ８と、コンピュータ８から送信されたデータに基づいて積層ゴムの設計図面を作図する積層ゴム設計作図プログラム（免震装置設計作図プログラム）９を有している供給者Ｃのコンピュータ１０と、積層ゴム設計作図プログラム９により作成した設計図面を設計者Ｂに送る送り手段１１とを具備している。
【００２７】
設計支援システム１によって設計図面が作成される橋梁は、橋桁、橋脚、橋台（基礎構造）並びに橋桁及び橋脚間に配される積層ゴムによって構成される。
【００２８】
コンピュータ８及び１０の夫々は、その記憶装置１５から各種プログラム等を読み出して、上述及び後述の処理を行うようになっている。また、コンピュータ８及び１０は、インターネット６を通じて互いにデータの送受信を行うことができるように構成されている。
【００２９】
橋梁の条件データには、橋梁の橋桁である上部構造の荷重及び寸法並びに橋梁の橋脚である下部構造の形式、剛性、寸法及び許容塑性率等が含まれている。設計者Ｂによる橋梁の条件データの入力は、コンピュータ８に予め記憶した橋梁の複数の条件データから任意の一の条件データが選択されることによって行われてもよい。
【００３０】
コンピュータ８は、設計プログラム５及び送信手段７に加えて、表示部２５と、表示部２５で橋梁の設計図面の要否についての選択表示を行うプログラムからなる選択表示手段２６とを具備している。
【００３１】
設計プログラム５は、橋梁の一連の設計をすべく、橋梁の条件データに基づいて橋梁の構造解析をする解析プログラム２１と、解析プログラム２１により解析した結果に基づいて橋梁がコンピュータ８に予め記憶された設計基準を満たすか否かを照査する照査プログラム２２と、照査プログラム２２により照査した結果に基づいて橋梁が設計基準を満たすための積層ゴムの性能及び寸法データを算出する算出プログラム２３とを有している。
【００３２】
解析プログラム２１は、本例では、橋桁、橋脚、橋台及び積層ゴムの強度を含む構造の構造解析を夫々施して、橋梁の一連の設計データとしての解析結果を作成するようになっている。
【００３３】
送信手段７は、選択表示手段２６による選択表示に応じて、設計者Ｂのコンピュータ８の操作によって当該コンピュータ８に設計図面を要する旨の信号が入力された場合に、送信すべきデータを作成し、作成したデータをコンピュータ１０にインターネット６を通じて自動的に送信する送信プログラム２７を具備している。
【００３４】
送信プログラム２７によって作成されるデータは、本例では、上述の積層ゴムの性能及び寸法データに加えて、解析プログラム２１及び照査プログラム２２によって解析及び照査された橋桁、橋脚及び橋台のデータと、コンピュータ８に記憶されている設計者Ｂを特定する顧客データとを有している。
【００３５】
コンピュータ１０は、コンピュータ８から送信された顧客データに基づいて顧客リストを作成する顧客リスト作成プログラム３１を更に具備している。
【００３６】
積層ゴム設計作図プログラム９は、本例では、コンピュータ８から送信された送信データのうちの特に積層ゴムの性能及び寸法データに基づいて設計図面として出力可能な設計図面データを積層ゴムの設計図面として作成する。
【００３７】
送り手段１１は、本例では、設計図面データをコンピュータ１０からコンピュータ８にインターネット６を通じて送信する設計図面データ送信手段３２を具備しており、設計図面データ送信手段３２により設計図面データを送信することによって設計図面を送信する。
【００３８】
設計図面データ送信手段３２は、コンピュータ１０に記憶されたプログラムからなり、積層ゴム設計作図プログラム９により設計図面データが作成されると、当該作成された設計図面データをインターネット６を通じてコンピュータ８に自動的に送信する。
【００３９】
以下、図２及び図３を参照して、設計支援システム１による処理を説明する。
【００４０】
まず、設計者Ｂによるコンピュータ８の操作により当該コンピュータ８に橋梁の条件データが入力され（段階１０１）、当該入力された橋梁の条件データに基づいて、解析プログラム２１による橋梁の構造解析を施して（段階１０２）、照査プログラム２２により、当該解析して得た橋梁の一連の設計データが設計基準を満たすか否かを照査する（段階１０３）。
【００４１】
段階１０３で照査した結果、橋梁が設計基準を満たす場合には、算出プログラム２３により、設計した橋梁を構成する積層ゴムの性能及び寸法データを算出して段階１０５の処理を行い、橋梁が設計基準を満たさない場合には、算出プログラム２３により、橋梁が設計基準を満たすために必要な積層ゴムのデータを算出して（段階１０４）、段階１０２の処理を行う。
【００４２】
算出プログラム２３による積層ゴムの性能及び寸法データの算出後、選択表示手段２６によりコンピュータ８の表示部２５で橋梁の設計図面についての要否の選択表示を行うことで、コンピュータ８を使用している設計者Ｂに図面の要否を確認し（段階１０５）、段階１０５における選択表示に応じて、コンピュータ８に設計図面を要する旨の信号が入力された場合には、段階１０６の処理を行い、コンピュータ８に設計図面を要さない旨の信号が入力された場合には、設計支援システム１による処理を終了する（段階１０７）。
【００４３】
段階１０５における選択表示に応じて設計図面を要する旨の信号が入力された場合には、送信プログラム２７により、送信すべきデータを作成し、作成したデータをコンピュータ８からコンピュータ１０にインターネット６を通じて自動的に送信する（段階１０６）。
【００４４】
段階１０６におけるデータ送信後、コンピュータ８から送信されたデータをコンピュータ１０により受信し（段階１０８）、受信後、コンピュータ１０の積層ゴム設計作図プログラム９により、当該受信したデータに含まれている積層ゴムの性能及び寸法データに基づいて、積層ゴムの設計図面として出力可能な積層ゴムの設計図面データを自動的に作成する（段階１０９）。尚、段階１０８でのデータの受信後、コンピュータ１０の顧客リスト作成プログラム３１により、当該受信したデータのうちの顧客データに基づいて顧客リストを作成する（段階１１０）。
【００４５】
段階１０９に続いて、設計図面データ送信手段３２により設計図面データをコンピュータ１０からコンピュータ８にインターネット６を通じて送信し（段階１１１）、設計支援システム１による処理を終了する（段階１１２）。
【００４６】
尚、設計プログラム５は、解析プログラム２１により橋梁の条件データに基づいて橋梁の静止時における強度を含む構造の構造解析（静的構造解析）を施し、照査プログラム２２により、解析プログラム２１による解析結果に基づいて橋梁が静止時における設定基準を満たすか否かを照査（静的照査）し、当該照査の結果、橋梁が静止時における設定基準を満たさない場合には、算出プログラム２３により積層ゴムの新たなデータを算出して解析プログラム２１による橋梁の静止時における強度を含む構造の解析を再度行い、橋梁が静止時における設定基準を満たす場合には、解析プログラム２１により橋梁の地震時における強度を含む構造の構造解析（動的構造解析）を施し、照査プログラム２２により、解析プログラム２１による解析結果に基づいて橋梁が地震時における設定基準を満たすか否かを照査（動的照査）し、当該照査の結果、橋梁が地震時における設定基準を満たさない場合には、算出プログラム２３により積層ゴムの新たなデータを算出して解析プログラム２１による橋梁の地震時における強度の解析を再度行い、橋梁が地震時における設定基準を満たす場合には、算出プログラム２３により積層ゴムの性能及び寸法データを算出してもよい。
【００４７】
また、送り手段１１は、設計図面データ送信手段３２に代えて又は加えて、設計図面を印刷した紙等の媒体又は設計図面データを記録したフレキシブルディスク、ＣＤ等からなる記録媒体を、設計者Ｂに発送する発送手段を具備していてもよく、設計プログラム５は、設計基準を満たす橋梁の一連の設計に基づいて、当該橋梁の周辺に取り付ける金物をも設計するようになっていてもよい。
【００４８】
更に、設計支援システム１は、免震構造物が建築物である場合には、建築物での建物本体である上部構造の荷重及び寸法並びに建築物での基礎である下部構造の形式、剛性、寸法及び許容塑性率等を含む免震構造物の条件データに基づいて、建築物を構成する免震装置の設計図面を作図して、作図した免震装置の設計図面を免震装置の設計者に提供するようになっていてもよい。
【００４９】
【発明の効果】
本発明によれば、所望の免震構造物の設計図面を作成するための労力の削減、時間の短縮及び経費の低減を図ることができる免震構造物の設計支援方法及びその設計支援システムを提供し得る。
【図面の簡単な説明】
【図１】本発明の実施の形態の例のブロック説明図である。
【図２】図１に示す例による処理のブロック説明図である。
【図３】図１に示す例による処理のブロック説明図である。
【符号の説明】
１  設計支援システム
５  設計プログラム
６  インターネット
７  送信手段
８、１０  コンピュータ
９  積層ゴム設計作図プログラム
１１  送り手段
【図１】
2004220126.tif 000003
【図２】
2004220126.tif 000004
【図３】
2004220126.tif 000005